(57)【特許請求の範囲】
【請求項１】
下地材から仕上材表面までの高さおよび勾配方向が異なる複数の屋根面と、これら屋根面同士が接合される棟部分を覆う棟役物とを備え、この棟役物は、棟部分に沿って配置される棟役物本体と、この棟役物本体から前記各屋根面に向かって延びる脚部とを有する勾配屋根の棟構造であって、
前記脚部の前記仕上材表面からの高さは略等しく、
前記各屋根面のうち、前記仕上材表面までの高さが低い方の屋根面は、前記各屋根面同士の境界を超えて、前記仕上材表面までの高さが高い方の屋根面まで延長されていることを特徴とする勾配屋根の棟構造。
【請求項２】
請求項１に記載の勾配屋根の棟構造において、
前記脚部は、前記棟役物本体から略鉛直に延びていることを特徴とする勾配屋根の棟構造。
【請求項３】
請求項１または２に記載の勾配屋根の棟構造において、
前記棟役物本体の稜部から前記各脚部までの長さは、それぞれ略等しいことを特徴とする勾配屋根の棟構造。
【請求項４】
請求項１から３のいずれかに記載の勾配屋根の棟構造において、
前記屋根面のうち仕上材表面までの高さが高い方の屋根面を構成する仕上材は、太陽電池パネルであることを特徴とする勾配屋根の棟構造。
【発明の詳細な説明】
【０００１】
【発明の属する技術分野】
本発明は、例えば、太陽光を電力に変換する太陽電池パネルを備えた勾配屋根の棟構造に利用できる。
【０００２】
【背景技術】
従来、切妻、寄棟等の勾配屋根には、互いに隣接する屋根面同士の接合部分（以降、棟部分と呼ぶ）を覆う棟役物が設けられる。棟役物は、一般に、所定幅の材料を略中央で折り曲げ形成したものであって、棟部分に沿って配置される棟役物本体と、この棟役物本体から各屋根面に向かって延びる脚部とを備えている。このような棟役物は、その稜部（折り曲げた部分）が屋根下地同士の境界上に設けられる。
【０００３】
一方、近年、環境や生態系に悪影響を与えないクリーンなエネルギとして、太陽エネルギがある。太陽エネルギを家庭で利用する方法として、太陽エネルギを電気エネルギに変換する太陽電池を屋根面に設置した太陽電池付屋根がある。
太陽電池付屋根に設置される太陽電池は、水分の浸入による漏電や短絡等の故障を未然に防ぐ必要があるため、所定厚みを有する平板状の完全防水ケースの中に収められて太陽電池パネルとされている（特開２０００−１１０３１０号公報）。
【０００４】
【発明が解決しようとする課題】
ところで、勾配屋根面のうちの一面、例えば南面にのみ太陽電池パネルを設置した場合、太陽電池パネルを設置した屋根面の屋根下地材から太陽電池パネル表面までの高さと、太陽電池パネルを設置しない屋根面の屋根下地材から屋根仕上材表面までの高さとが異なる。
したがって、上述した棟役物をその稜部が屋根下地同士の境界上に取り付けようとすると、両屋根面の屋根下地材からの屋根仕上材の高さが異なるため、太陽電池パネルを設置した屋根面側の脚部の高さと、太陽電池パネルを設置しない屋根面側の脚部の高さとの差が大きくなってしまい、外観不良となる可能性があった。
【０００５】
本発明の目的は、屋根下地材からの屋根仕上材表面の高さが異なる屋根面を有する勾配屋根であっても、外観を良好に納めることができる勾配屋根の棟構造を提供することにある。
【０００６】
【課題を解決するための手段】
上記目的を達成するため、本発明の勾配屋根の棟構造は、次の構成を採用する。
本発明を図面を参照して説明すると、請求項１に記載の勾配屋根１０の棟構造は、下地材３５から仕上材表面までの高さおよび勾配方向が異なる複数の屋根面１１，１２，１２Ａと、これら屋根面同士が接合される棟部分１３，１４を覆う棟役物２０，２７，５０とを備え、この棟役物は、棟部分に沿って配置される棟役物本体２３と、この棟役物本体から前記各屋根面に向かって延びる脚部２１，２２，５１，５２とを有する勾配屋根の棟構造であって、前記脚部の前記各屋根面の仕上材３６，４０表面からの高さは略等しく、前記各屋根面のうち、前記仕上材表面までの高さが低い方の屋根面は、前記各屋根面同士の境界を超えて、前記仕上材表面までの高さが高い方の屋根面まで延長されていることを特徴とする。
【０００７】
この発明によれば、仕上材表面の高さが低い方の屋根面側の脚部の高さと、仕上材表面の高さが高い方の屋根面側の脚部の高さとを略等しくしたので、両方の高さの違いによる違和感を抑えて、外観を良好にすることができる。
【０００８】
また、仕上材表面までの高さが低い方の屋根面を、仕上材表面までの高さが高い方の屋根面まで延長したので、棟役物本体の幅方向の長さを自在に調整できる。
【０００９】
請求項２に記載の勾配屋根の棟構造は、請求項１に記載の勾配屋根の棟構造において、前記脚部は、前記棟役物本体から略鉛直に延びていることを特徴とする。
この発明によれば、脚部を棟役物本体から略鉛直に延ばしたので、脚部表面の排水を良好にできるうえに塵埃の付着を抑えることができるから、防水性、耐久性を向上できる。
【００１０】
請求項３に記載の勾配屋根の棟構造は、請求項１または２に記載の勾配屋根の棟構造において、前記棟役物本体の稜部から前記各脚部までの長さは、それぞれ略等しいことを特徴とする。
この発明によれば、棟役物本体の稜部から各脚部までの長さを略等しくしたので、平面視で棟役物の外観を良好にできる。
【００１１】
請求項４に記載の勾配屋根の棟構造は、請求項１から３のいずれかに記載の勾配屋根の棟構造において、前記屋根面のうち仕上材表面までの高さが高い方の屋根面を構成する仕上材は、太陽電池パネルであることを特徴とする。
この発明によれば、仕上材表面までの高さが高い方の屋根面を構成する仕上材を太陽電池パネルとしたので、太陽熱による屋根面の温度上昇を抑制しつつ、その太陽エネルギを電気エネルギに変換して有効利用でき、省エネルギ化を図ることができる。
【００１２】
【発明の実施の形態】
以下、本発明の一実施形態を図面に基づいて説明する。
図１には、本発明の第１実施形態に係る建物１の全体斜視図が示されている。
建物１は、ユニット式建物であって、基礎２と、この基礎２の上に形成された建物本体３と、この建物本体３の上に形成された勾配屋根１０とを備えている。
ここで、ユニット式建物とは、工場で製造した箱状の建物ユニットを、建築現場で複数連結させて建築される建物であり、建物本体３は、複数の箱状の建物ユニット３Ａで構成されている。
【００１３】
勾配屋根１０は、寄棟式の屋根であって、勾配方向が異なる４つの屋根面、すなわち、三角形状に形成された２つの妻側屋根面１１と、台形状に形成された桁側屋根面１２および太陽電池付屋根面１２Ａとを備えている。
【００１４】
太陽電池付屋根面１２Ａは、南側に面しており、屋根仕上材としての太陽電池パネル４０がその全面に亘って設置されている。太陽電池パネル４０は、平面長方形状の基準太陽電池パネル４０Ａと、平面台形状または三角形状の異形太陽電池パネル４０Ｂとを含んで構成されている。
【００１５】
勾配屋根１０のうち、互いに隣接する桁側屋根面１２と太陽電池付屋根面１２Ａとの間には、大棟部分１３が形成され、この大棟部分１３をその長手方向に沿って覆う棟役物２０が設けられている。
また、互いに隣接する妻側屋根面１１と太陽電池付屋根面１２Ａとの間には、隅棟部分１４が形成され、この隅棟部分１４をその長手方向に沿って覆う棟役物２７とが設けられている。
これら棟役物２０および棟役物２７は、同一断面形状を有しており、互いに連続している。
【００１６】
図２には、棟役物２０が設けられた大棟部分１３の拡大断面図が示されている。
桁側屋根面１２は、複数の屋根パネル３０を連結して形成された屋根下地材３５と、この屋根下地材３５の上に設置された屋根仕上材としての金属板３６とを備えている。屋根パネル３０は、四角枠状に形成した芯材３１の表裏面に面材３２を貼り付けたものである。なお、妻側屋根面１１も、桁側屋根面１２と同様の構成となっている。
【００１７】
太陽電池付屋根面１２Ａは、屋根下地材３５と、この屋根下地材３５の上に支持レール４１を介して設けられた所定厚みを有する太陽電池パネル４０とを含んで構成されている。
【００１８】
太陽電池パネル４０は、完全防水ケースであって、各形状に組み合わせたパネル枠４２と、このパネル枠４２の内部に設けられた太陽電池４３とを備え、各太陽電池パネル４０同士は、ガスケット４４を介して互いに隙間なく配置されている。
また、太陽電池付屋根面１２Ａ上端側でかつ太陽電池パネル４０のパネル枠４２と棟役物２０との間には、水切り４５が設けられ、雨水の浸入を防ぐようになっている。
【００１９】
支持レール４１は、図３に示すように、屋根下地材３５に屋根の勾配に沿って複数本取り付けられ、太陽電池パネル４０の桁行方向両端部を支持できるようになっている。
２本の支持レール４１および屋根下地材３５と太陽電池パネル４０とで囲まれた空間には、軒先側から棟側に至る通気路が形成され、この通気路によって、外部の空気が太陽電池パネル４０を冷却し、太陽電池パネル４０の発電電圧を低下させないようになっている。
【００２０】
図２に戻って、太陽電池付屋根面１２Ａの屋根下地材３５から屋根仕上材としての太陽電池パネル４０表面までの高さは、桁側屋根面１２の屋根下地材３５から金属板３６表面までの高さより高くなっている。
また、屋根下地材３５の上側の面材３２および金属板３６は、屋根面１２，１２Ａの屋根下地材３５同士の境界（図２中一点鎖線で示す）を超えて太陽電池付屋根面１２Ａの太陽電池パネル４０表面の延長線上まで延長されている。
【００２１】
棟役物２０は、所定幅の金属製の板材をその長手方向に沿って折り曲げて形成され、大棟部分１３に沿って配置される棟役物本体２３と、この棟役物本体２３から各屋根面１２，１２Ａに向かって延びる脚部２１，２２とを備えている。
棟役物本体２３は、その中央で折り曲げ形成されて、この稜部（折り曲げ部分）から各脚部２１，２２までの長さは、略等しく寸法Ａとされている。
脚部２１の桁側屋根面１２からの高さは、脚部２２の太陽電池付屋根面１２Ａからの高さと略等しく寸法Ｂとなっている。
【００２２】
このような棟役物２０は、棟役物本体２３の稜部が屋根面１２，１２Ａの屋根下地材３５同士の境界上から太陽電池付屋根面１２Ａにずれた位置に、調整材２６を介して取り付けられている。
【００２３】
したがって、本実施形態によれば以下の効果がある。
（１）桁側屋根面１２側および妻側屋根面１１側の脚部２１の高さと、太陽電池パネル４０が設けられた太陽電池付屋根面１２Ａ側の脚部２２の高さとを略等しく寸法Ｂとしたので、両方の高さの違いによる違和感を抑えて、外観を良好にすることができる。
【００２４】
（２）桁側屋根面１２および妻側屋根面１１の面材３２および金属板３６を、太陽電池付屋根面１２Ａの太陽電池パネル４０表面の延長線上まで延長したので、棟役物本体２３の幅方向の長さを自在に調整できる。
【００２５】
（３）棟役物本体２３の稜部から各脚部２１，２２までの寸法を略等しくＡとしたので、平面視で棟役物２０の外観を良好にできる。
【００２６】
（４）屋根仕上材表面の高さが高い太陽電池付屋根面１２Ａを構成する屋根仕上材を太陽電池パネル４０としたので、太陽熱による太陽電池付屋根面１２Ａの温度上昇を抑制しつつ、その太陽エネルギを電気エネルギに変換して有効利用でき、省エネルギ化を図ることができる。
【００２７】
なお、本発明は前記実施形態に限定されるものではなく、本発明の目的を達成できる範囲での変形、改良等は本発明に含まれるものである。
例えば、図４に示すように、棟役物５０は、脚部５１，５２を備えているが、これら脚部５１，５２は、第１実施形態と異なり、棟役物本体２３から略鉛直に延びている。
したがって、第１実施形態で述べた(１)〜(４)の効果に加え、以下の効果がある。
【００２８】
（５）脚部５１，５２を棟役物本体２３から略鉛直に延ばしたので、脚部５１，５２表面の排水を良好にできるうえに塵埃の付着を抑えることができるから、防水性、耐久性を向上できる。
【００２９】
【発明の効果】
本発明の勾配屋根の棟構造によれば、次のような効果が得られる。
請求項１に記載の勾配屋根の棟構造によれば、仕上材表面の高さが低い方の屋根面側の脚部の高さと、仕上材表面の高さが高い方の屋根面側の脚部の高さとを略等しくしたので、両方の高さの違いによる違和感を抑えて、外観を良好にすることができる。
【００３０】
また、仕上材表面までの高さが低い方の屋根面を、仕上材表面までの高さが高い方の屋根面まで延長したので、棟役物本体の幅方向の長さを自在に調整できる。
【００３１】
請求項２に記載の勾配屋根の棟構造によれば、脚部を棟役物本体から略鉛直に延ばしたので、脚部表面の排水を良好にできるうえに塵埃の付着を抑えることができるから、防水性、耐久性を向上できる。
【００３２】
請求項３に記載の勾配屋根の棟構造によれば、棟役物本体の稜部から各脚部までの長さを略等しくしたので、平面視で棟役物の外観を良好にできる。
【００３３】
請求項４に記載の勾配屋根の棟構造によれば、仕上材表面までの高さが高い方の屋根面を構成する仕上材を太陽電池パネルとしたので、太陽熱による屋根面の温度上昇を抑制しつつ、その太陽エネルギを電気エネルギに変換して有効利用でき、省エネルギ化を図ることができる。
【図面の簡単な説明】
【図１】本発明の一実施形態に係る建物を示す全体斜視図である。
【図２】前記実施形態に係る棟役物が設けられた棟部分の拡大断面図である。
【図３】前記実施形態に係る下地材から仕上材表面までの高さが高い屋根面の分解斜視図である。
【図４】本発明の変形例に係る棟役物を示す拡大断面図である。
【符号の説明】
１０            勾配屋根
１１，１２      下地材から仕上材表面までの高さが低い屋根面としての妻側屋根面および桁側屋根面
１２Ａ          下地材から仕上材表面までの高さが高い屋根面としての太陽電池付屋根面
１３            棟部分としての大棟部分
１４            棟部分としての隅棟部分
２０，２７，５０          棟役物
２１，２２，５１，５２    脚部
２３            棟役物本体
３５            屋根下地材
３６            屋根仕上材としての金属板
４０            屋根仕上材としての太陽電池パネル
【図１】
0003995078.tif 000002
【図２】
0003995078.tif 000003
【図３】
0003995078.tif 000004
【図４】
0003995078.tif 000005